(57)【特許請求の範囲】
【請求項１】
縦列かつ等間隔に配置された複数の係止孔が設けられた支柱に、取付部材を取り付けるための支柱取付構造であって、
取付部材はブラケットを介して支柱に着脱自在に取り付けられ、
ブラケットは、支柱に取り付けた際に支柱に当接する細長状の本体と、本体の上部側に設けられるとともに、複数の係止孔から任意に選択された第１の係止孔に挿入する第１の係止爪と、本体の下側に設けられるとともに、第１の係止孔の直ぐ下側に設けられた第２の係止孔に挿入する第２の係止爪と、本体の正面側に設けられるとともに、取付部材を取り付けるためのフック部と、を備えるとともに、支柱に対し着脱自在に取り付けられ、
取付部材にはフック部を挿入する挿入孔が設けられており、
ブラケットは、第１の係止孔に第１の係止爪を挿入し、次いで第２の係止孔に第２の係止爪を挿入することにより支柱に取り付けられ、
取付部材は、支柱に取り付けられたブラケットのフック部を挿入孔に挿入することにより取り付けられるとともに、
前記ブラケットを取り付ける側の前記取付部材の端部には、前記本体を嵌合させ横方向のガタツキを防止するための切欠凹部を有すること
を特徴とする支柱取付構造。
【請求項２】
前記取付部材は、複数の支柱を連結するための連結部材あるいは棚板であることを特徴とする請求項１に記載の支柱取付構造。
【発明の詳細な説明】
【技術分野】
【０００１】
本発明は、商品陳列棚等において、支柱同士を連結する連結部材や棚板を簡易かつ安定して取り付けられる支柱取付構造に関する。
【背景技術】
【０００２】
従来、スーパーなどにおいて、商品の陳列に使用されている商品陳列棚は、一般に、商品を載置する棚板の高さを任意に設定できるよう取り外し可能に構成されている等、なるべく組立てが容易に構成されている。例えば、そのような商品陳列棚として特許文献１に記載の商品陳列棚がある。この商品陳列棚３は、棚支柱２に取付けたブラケット４の上縁一部を切欠してかぎ形の係合突起４ａを形成するとともに、該係合突起に位置を合わせて棚板５の裏面側にはストッパ片６を設け、該ストッパ片を前記係合突起へスライド式に引っ掛けて棚板をブラケット上に固定したものにおいて、外形Ｕ字形のストッパ片６の板面にテーパ状に引っ込んだ窪み６ａを形成するとともに、その窪みの底部にブラケット側の係合突起へ差し込む係合穴６ｂを形成し、ブラケットに棚板を載せた状態でスライド式にストッパ片をブラケットの係合突起に差し込んで棚板が所定位置からずれたり脱落しないように固定されて組み立てられる。
【先行技術文献】
【特許文献】
【０００３】
【特許文献１】特開平０８−３０３９４４号公報
【発明の概要】
【発明が解決しようとする課題】
【０００４】
しかしながら、該商品陳列棚にあっては、前後両側から利用する場合を考えると、支柱の前面及び後面にそれぞれブラケット４を取り付け、棚板５を前後それぞれ２枚架設する必要があり、組み立てに時間がかかるといった問題が生ずる。
【０００５】
さらに、該商品陳列棚は、棚板５のがたつきを防止するため、ブラケット４の上縁に係合突起４ａを複数形成している。それに伴い、棚板５の裏面にこの係合突起４ａと係合するための係合穴６ｂを複数形成している。このように、特許文献１の商品陳列棚は、組み立てる際、棚板５裏面の係合穴６ｂをブラケット４の係合突起４ａにスライドさせる作業は、棚板の裏面側を確認しながら行うため、作業者にとって非常に煩雑な作業となってしまう。
【０００６】
本発明は、このような問題を解決するためになされたものであり、その目的とするところは、支柱同士を連結する連結部材や棚板を簡易かつ安定して取り付けられる支柱取付構造を提供することを目的とする。
【課題を解決するための手段】
【０００７】
前記の目的を達成するため、本発明は、縦列かつ等間隔に配置された複数の係止孔が設けられた支柱に、取付部材を取り付けるための支柱取付構造であって、取付部材はブラケットを介して支柱に着脱自在に取り付けられ、ブラケットは、支柱に取り付けた際に支柱に当接する細長状の本体と、本体の上部側に設けられるとともに、複数の係止孔から任意に選択された第１の係止孔に挿入する第１の係止爪と、本体の下側に設けられるとともに、第１の係止孔の直ぐ下側に設けられた第２の係止孔に挿入する第２の係止爪と、本体の正面側に設けられるとともに、取付部材を取り付けるためのフック部と、を備えるとともに、支柱に対し着脱自在に取り付けられ、取付部材にはフック部を挿入する挿入孔が設けられており、ブラケットは、第１の係止孔に第１の係止爪を挿入し、次いで第２の係止孔に第２の係止爪を挿入することにより支柱に取り付けられ、取付部材は、支柱に取り付けられたブラケットのフック部を挿入孔に挿入することにより取り付けられるとともに、前記ブラケットを取り付ける側の前記取付部材の端部には、前記本体を嵌合させ横方向のガタツキを防止するための切欠凹部を有することを特徴とする。
【０００９】
前記取付部材は、支柱同士を連結するための連結部材あるいは棚板であってもよい。
【発明の効果】
【００１０】
本発明によれば、縦列かつ等間隔に配置された複数の係止孔が設けられた支柱に、取付部材を取り付けるための支柱取付構造であって、取付部材はブラケットを介して支柱に着脱自在に取り付けられ、ブラケットは、支柱に取り付けた際に支柱に当接する細長状の本体と、本体の上部側に設けられるとともに、複数の係止孔から任意に選択された第１の係止孔に挿入する第１の係止爪と、本体の下側に設けられるとともに、第１の係止孔の直ぐ下側に設けられた第２の係止孔に挿入する第２の係止爪と、本体の正面側に設けられるとともに、取付部材を取り付けるためのフック部と、を備えるとともに、支柱に対し着脱自在に取り付けられ、取付部材にはフック部を挿入する挿入孔が設けられており、ブラケットは、第１の係止孔に第１の係止爪を挿入し、次いで第２の係止孔に第２の係止爪を挿入することにより支柱に取り付けられ、取付部材は、支柱に取り付けられたブラケットのフック部を挿入孔に挿入することにより取り付けられる構造とした。これにより、支柱同士を連結する連結部材や棚板を簡易かつ安定して取り付けられるといった効果を奏する。
【図面の簡単な説明】
【００１１】
【図１】本発明の支柱取付構造を適用した商品陳列棚の組立て構造を説明するための斜視図。
【図２】支柱の図であり、（ａ）は正面図、（ｂ）は背面図。
【図３】ブラケットの図であり、（ａ）は側面図、（ｂ）は正面図。
【図４】連結部材の図であり、（ａ）は上面図、（ｂ）は（ａ）のＡ−Ａ断面図。
【図５】図１の商品陳列棚の組立て手順を説明するための図であって、（ａ）ないし（ｃ）は支柱にブラケットを取り付ける手順を説明するための図。
【図６】図１の商品陳列棚の組立て手順を説明するための図であって、（ａ）及び（ｂ）はブラケットを介して支柱に連結部材を取り付ける手順を説明するための図。
【発明を実施するための形態】
【００１２】
以下、本発明を実施するための形態について、図面を参照しながら説明する。なお、以下の実施形態においては、本発明の支柱取付構造を商品陳列棚に適用した場合であって、取付部材を支柱同士を連結するための連結部材として説明するがこれに限定されるものではない。
【００１３】
図１には、本発明の支柱取付構造を適用した商品陳列棚１の組立て構造を説明するための斜視図が図示されており、商品陳列棚１は、一対の支柱２と、支柱２にそれぞれ着脱自在に取り付けられるブラケット３と、ブラケット３に着脱自在に取り付けられる連結部材４と、連結部材４上に載置されるとともに四隅に各支柱部２１に対応する切欠部５１が設けられた棚板５とから概略構成されている。なお、図１においては、商品陳列棚１の構造を分かりやすく説明するために、棚板５を２段架設する例とし、その下段においては既に棚板５が取り付けられている状態を図示し、上段においてはこれから連結部材４及び棚板５が取り付けられる状態を模式的に図示している。
【００１４】
図２には、支柱２が図示されており、（ａ）は正面図、（ｂ）は背面図である。支柱２は、矩形断面を有する金属製のパイプからなり、所定間隔離間して設けられた支柱部２１，２１と、支柱部２１，２１同士を下方において連結する基板部２２とから構成されている。各支柱部２１の背面側には、縦列かつ等間隔に配置された複数の係止孔２３が設けられており、商品陳列棚１に使用される際には、図１に示すように各支柱２，２に設けられた複数の係止孔２３が向き合うようにして対向して立設される。
【００１５】
本実施形態における商品陳列棚１は、棚板５の設置高さをユーザが任意に選択することができ、それは、複数の係止孔２３の中からブラケット３を取り付ける係止孔を選択することにより実現される。なお、各支柱部２１にブラケット３を取り付ける具体的な方法については後述するが、本実施形態においては、複数の係止孔２３のうち、ブラケット３を実際に取り付ける係止孔を、第１の係止孔２３ａ及び第２の係止孔２３ｂとしており、第２の係止孔２３ｂは第１の係止孔２３ａの直ぐ下側に配置された係止孔である。
【００１６】
図３には、ブラケット３が図示されており、（ａ）は側面図、（ｂ）は正面図である。ブラケット３は、金属製の部材であり、各支柱部２１に取り付けた際に支柱部２１に当接する細長状の本体３１と、本体３１の上部側に設けられるとともに第１の係止孔２３ａに挿入する第１の係止爪３２と、本体３１の下側に設けられるとともに第２の係止孔２３ｂに挿入する第２の係止爪３３と、本体３１の正面側に設けられるとともに連結部材４を取り付けるためのフック部３４と、を備える。第１の係止爪３２は本体３１に対し屈曲されて構成されており、このような形状にすることにより第１の係止孔２３ａに挿入し易く、かつブラケット３の抜け止めの効果を奏する。また、第２の係止爪３３は本体３１に対し略垂直に構成されており、このような形状にすることにより、ブラケット３を支柱部２１に取り付けし易くする。
【００１７】
図４には、連結部材４が図示されており、（ａ）は上面図、（ｂ）は（ａ）のＡ−Ａ断面図である。連結部材４は、矩形断面を有する金属製のパイプからなり、その両端部には、フック部３４を挿入する挿入孔４１と、本体３１を嵌合させるための切欠凹部４２とを備えている。本実施形態においては、連結部材４に矩形断面を有する金属製のパイプを使用していることから、同図（ｂ）に示すように、上面に対応する下面側にも同様に挿入孔４１及び切欠凹部４２が設けられている。
【００１８】
次に、本実施形態における商品陳列棚１の組立て手順について、図１、図５及び図６を用いて説明する。
【００１９】
図５には、各支柱部２１にブラケット３を取り付ける手順が図示されており、次いで、図６には、ブラケット３を介して連結部材４を各支柱部２１に取り付ける手順が図示されている。
【００２０】
まず、支柱部２１の第１の係止孔２３ａに第１の係止爪３２を先端から図５（ａ）に示すように挿入する。
【００２１】
次いで、第１の係止孔２３ａに第１の係止爪３２を略挿入し終えたら、ブラケット３を第２の係止爪３３が第２の係止孔２３ｂに挿入されるように、同図（ｂ）に示す矢印の向きに回転させる。
【００２２】
すると、同図（ｃ）に示すように、支柱部２１にブラケット３が取り付けられる。すなわち、ブラケット３は、第１の係止爪３２と第２の係止爪３３の２つの係止爪により支柱部２１に取り付けられることとなる。このようなブラケット３の取付作業を、４つの支柱部２１において同一の高さにおいて行う。なお、同図（ｃ）においては、第１の係止爪３２と支柱部２１の内側との間に隙間が形成されているように図示されているが、作図上の都合によるものであり、当該隙間をゼロにすることは製造上出来ないが、この隙間が少なるようにブラケット３を製造すれば、ブラケット３を支柱部２１に取り付けた際のガタツキを防止できるので好適である。
【００２３】
次に、図５（ｃ）のようにして支柱部２１に取り付けられたブラケット３に連結部材４を取り付ける手順について図６を参照して説明する。
【００２４】
図６（ａ）に示すように、図５（ｃ）の状態のブラケット３に対し、フック部３４の先端が連結部材４の下面側の挿入孔４１、次いで上面側の挿入孔４１に挿入されるようにして連結部材４が取り付けられる。この際、ブラケット３の本体３１が、その上方から下面側の切欠凹部４２、次いで上面側の切欠凹部４２と順に嵌合され、同図（ｂ）に示すように、連結部材４がブラケット３を介して支柱部２１に取り付けられる。このような作業を４つの支柱部２１において行うと、連結部材４がユーザ所望の高さに取り付けられることとなる。
【００２５】
そして、このようにして設置された連結部材４に対し、図１に示すように上方から棚板５を載置すれば、棚板５はユーザ所望の高さに設置されることとなる。
【００２６】
上述したように、本発明の支柱取付構造を商品陳列棚の連結部材に適用すれば、組立ての際に、ボルトやナット等が不要となり、簡易に組立てが可能となる。また、本発明の支柱取付構造を適用することにより、商品陳列棚の組立てが容易になる。さらに、切欠凹部４２に本体３１を嵌合させるような構造を採用することにより、連結部材４の横方向のガタツキも防止することができる。
【００２７】
なお、本実施形態の連結部材４における挿入孔４１及び切欠凹部４２のような構成を棚板５に設ければ、棚板５が連結部材の代わりになり、部品点数を減らせるといった効果を奏する。
【符号の説明】
【００２８】
１…商品陳列棚
２…支柱
２１  …支柱部
２２  …基板部
２３  …係止孔
２３ａ…第１の係止孔
２３ｂ…第２の係止孔
３…ブラケット
３１…本体
３２…第１の係止爪
３３…第２の係止爪
３４…フック部
４…連結部材（取付部材）
４１…挿入孔
４２…切欠凹部
５…棚板
５１…切欠部
【要約】
【課題】商品陳列棚等において、支柱同士を連結する連結部材や棚板を簡易かつ安定して取り付けられる支柱取付構造を提供する。
【解決手段】支柱２の各支柱部２１に縦列かつ等間隔に配置された複数の係止孔２１から任意に選択された第１の係止孔２１ａにブラケット３の第１の係止爪３２を挿入し、次いで、第１の係止孔２３ａの直ぐ下側に設けられた第２の係止孔２３ｂに第２の係止爪３３を挿入してブラケット３を支柱２に取り付け、連結部材４の挿入孔４１にフック部３４を挿入させるとともに、切欠凹部４２にブラケット３の本体３１を嵌合させる。
【選択図】図６【図１】
0005605818.tif 000002
【図２】
0005605818.tif 000003
【図３】
0005605818.tif 000004
【図４】
0005605818.tif 000005
【図５】
0005605818.tif 000006
【図６】
0005605818.tif 000007